(57)【特許請求の範囲】
【請求項１】
映像を構成するフレームに対してシュート成分を付加してエッジ強調を行うエンハンス処理を行うエッジ強調処理手段を備えた映像処理装置であって、
上記フレームを構成する各画素について隣接する画素との間の輝度差を求め、当該輝度差が所定の第１閾値以上である画素の割合である第１割合を求める算出手段を備え、
上記エッジ強調処理手段は、上記第１割合が大きいフレームほど上記シュート成分を小さくしてエンハンス処理を行うことを特徴とする映像処理装置。
【請求項２】
上記算出手段は、さらに、上記輝度差が上記第１閾値よりも小さい第２閾値以上であり上記第１閾値未満である画素の割合である第２割合と、上記輝度差が上記第２閾値よりも小さい画素の割合である第３割合とを求め、
上記エッジ強調処理手段は、第２割合が第３割合よりも小さいフレームに対するシュート成分を、第２割合が第３割合よりも大きいフレームに対するシュート成分よりも小さくしてエンハンス処理を行うことを特徴とする請求項１に記載の映像処理装置。
【請求項３】
対象フレームと当該対象フレームの前のフレームとが同一シーンを示している度合いである同一シーン量を検出する同一シーン量検出手段と、
対象フレームと当該対象フレームの前のフレームとの間の映像の動き量を検出する動き量検出手段とを備え、
上記エッジ強調処理手段は、上記同一シーン量検出手段により検出された同一シーン量が所定量よりも同一シーンである度合いが高いことを示しており、かつ、上記動き量検出手段により検出された動き量が所定量よりも大きいことを示している場合に、上記第１割合が大きいフレームほど上記シュート成分を小さくしてエンハンス処理を行うことを特徴とする請求項１または２に記載の映像処理装置。
【請求項４】
上記エッジ強調処理手段は、上記エンハンス処理に加えて、シュート成分を付加することなくエッジの傾きを急峻に変化させるＬＴＩ処理を行う機能を有しており、上記第１割合に応じてシュート成分を小さくしてエンハンス処理を行ったフレームに対して上記ＬＴＩ処理を行うことを特徴とする請求項１から３の何れか１項に記載の映像処理装置。
【請求項５】
上記エッジ強調処理手段は、上記第１割合が大きいフレームほど上記傾きを急峻にさせる度合いを大きくしてＬＴＩ処理を行うことを特徴とする請求項４に記載の映像処理装置。
【請求項６】
上記エッジ強調処理手段は、上記第１割合が取り得る範囲を複数に分割した分割範囲の各々とエンハンス処理を行うためのエッジ強調フィルタとが対応付けられた対応情報を参照して、上記算出手段により算出された第１割合が属する分割範囲に対応するエッジ強調フィルタを用いてエンハンス処理を行い、
上記対応情報では、第１割合が相対的に大きい分割範囲に対応するエッジ強調フィルタを用いてエンハンス処理を行ったときのシュート成分の大きさが、第１割合が相対的に小さい分割範囲に対応するエッジ強調フィルタを用いてエンハンス処理を行ったときのシュート成分の大きさよりも小さくなるように、各分割範囲に対応するエッジ強調フィルタが設定されていることを特徴とする請求項１から５の何れか１項に記載の映像処理装置。
【請求項７】
上記エッジ強調処理手段が上記第１割合に応じてシュート成分を変更する機能をオンまたはオフに切り替える指示を受け付ける指示受付手段を備え、
上記エッジ強調処理手段は、上記指示受付手段がオンに切り替えた場合に、上記第１割合が大きいフレームほど上記シュート成分を小さくしてエンハンス処理を行うことを特徴とする請求項１から６の何れか１項に記載の映像処理装置。
【請求項８】
上記同一シーン量検出手段は、フレームごとに輝度別の画素数を示す輝度ヒストグラムを求め、対象フレームの輝度ヒストグラムと当該対象フレームの前のフレームの輝度ヒストグラムとの差分のヒストグラムの総度数を上記同一シーン量として検出することを特徴とする請求項３に記載の映像処理装置。
【請求項９】
上記動き量検出手段は、画素ごとに、対象フレームと当該対象フレームの前のフレームとの輝度差を求め、所定の動き閾値以上の輝度差を有する画素の割合を上記動き量として検出することを特徴とする請求項３に記載の映像処理装置。
【請求項１０】
上記映像の画質を示す画質モードを決定する画質モード決定手段を備え、
上記算出手段は、上記画質モード決定手段により決定された画質モードに応じて上記第１閾値の値を異ならせることを特徴とする請求項１から９の何れか１項に記載の映像処理装置。
【請求項１１】
映像データが表す映像の特徴量を検出する検出手段と、
上記特徴量に基づいて、上記映像に文字が含まれているか否かを判断する判断手段と、
上記映像に文字が含まれていると判断された場合、上記映像における文字の視認性を高める処理を上記映像に施す文字強調手段と
を備え、
上記検出手段は、
上記映像における複数の画素の各々について、フレーム間の輝度の差分値である第１の差分値と、
上記映像における複数の画素の各々についての輝度と、を検出し、
上記判断手段は、
上記第１の差分値の度数分布において、上記第１の差分値が第３閾値以上である画素の度数が、第４閾値以下の場合、且つ、
上記輝度の度数分布において、度数が第５閾値以上の輝度が２つ以上存在し、且つ、度数が第５閾値以上の輝度に隣接する輝度の度数が、上記第５閾値よりも低い第６閾値以下の場合に、上記映像に文字が含まれていると判断する
ことを特徴とする映像処理装置。
【請求項１２】
上記検出手段は、
上記映像における複数の画素の各々について、隣接する他の画素との輝度の差分値である第２の差分値をさらに検出し、
上記判断手段は、
さらに、上記第２の差分値の度数分布において、上記第２の差分値が第７閾値以上である画素の度数が、第８閾値以下の場合、上記映像に文字が含まれていると判断する
ことを特徴とする請求項１１に記載の映像処理装置。
【請求項１３】
上記文字強調手段は、
上記映像における文字の視認性を高めるべく、上記映像のエンハンスを弱める
ことを特徴とする請求項１１または１２に記載の映像処理装置。
【請求項１４】
上記文字強調手段は、
上記映像における文字の視認性を高めるべく、上記映像のＬＴＩを強める
ことを特徴とする請求項１１から１３のいずれか一項に記載の映像処理装置。
【請求項１５】
上記文字強調手段は、
上記映像における文字の視認性を高めるべく、上記映像のＣＴＩを制御する
ことを特徴とする請求項１１から１４のいずれか１項に記載の映像処理装置。
【請求項１６】
請求項１から１５の何れか１項に記載の映像処理装置を備えていることを特徴とするテレビジョン受像機。
【請求項１７】
映像を構成するフレームに対してシュート成分を付加してエッジ強調を行うエンハンス処理を行う映像処理方法であって、
上記フレームを構成する各画素について隣接する画素との間の輝度差を求め、当該輝度差が所定の第１閾値以上である画素の割合である第１割合を求めるステップと、
上記第１割合が大きいフレームほど上記シュート成分を小さくしてエンハンス処理を行うステップとを含むことを特徴とする映像処理方法。
【請求項１８】
映像データが表す映像の特徴量を検出する検出工程と、
上記特徴量に基づいて、上記映像に文字が含まれているか否かを判断する判断工程と、
上記映像に文字が含まれていると判断された場合、上記映像における文字の視認性を高める処理を上記映像に施す文字強調工程と
を含み、
上記検出工程では、
上記映像における複数の画素の各々について、フレーム間の輝度の差分値である第１の差分値と、
上記映像における複数の画素の各々についての輝度と、を検出し、
上記判断工程では、
上記第１の差分値の度数分布において、上記第１の差分値が第３閾値以上である画素の度数が、第４閾値以下の場合、且つ、
上記輝度の度数分布において、度数が第５閾値以上の輝度が２つ以上存在し、且つ、度数が第５閾値以上の輝度に隣接する輝度の度数が、上記第５閾値よりも低い第６閾値以下の場合、上記映像に文字が含まれていると判断する
ことを特徴とする映像処理方法。
【請求項１９】
請求項１から１５の何れか１項に記載の映像処理装置が備えている各手段としてコンピュータを動作させるためのプログラム。
【請求項２０】
請求項１９に記載のプログラムを記録しているコンピュータ読取り可能な記録媒体。
【発明の詳細な説明】
【技術分野】
【０００１】
本発明は、主に、映像の画質を改善する映像処理装置、及び映像処理方法に関する。
【背景技術】
【０００２】
従来、映像の画質を改善する技術として、エッジ強調処理を施すことで映像の鮮鋭感を高める技術が知られている。エッジ強調を行うことで、鮮明にディテールを表現し、立体的に映像を表現することができる。
【先行技術文献】
【特許文献】
【０００３】
【特許文献１】特許第４５５００１６号公報（発行日：２０１０年９月２２日）
【特許文献２】特開２００９−１００２７０号公報（公開日：２００９年５月７日）
【発明の概要】
【発明が解決しようとする課題】
【０００４】
しかしながら、映像の内容によっては、エッジ強調処理を施すことにより、輪郭部に白い縁取りが付いてしまい映像が不自然にギラついて見えることがある。すなわち、映像の内容によっては、エッジ強調処理による弊害であるギラつきが生じてしまう可能性がある。
【０００５】
なお、特許文献１には、エッジ画素の密度であるエッジ密度を用いて、輝度が一様な部分のコントラストを下げ、輝度が一様でない部分のコントラストを強調する技術が記載されている。また、エッジ密度を求める際に、エッジ強度が所定レベル以上の画素のエッジ強度を０とすることで、コントラストで強調される部分が非常に明るい部分と非常に暗い部分との境界以外となり、非常に明るい部分と非常に暗い部分それぞれのコントラストの低下を防止することが記載されている。このように、特許文献１の技術は、エッジ画素に着目しているものの、適切なコントラスト強調を目的としており、上記のようなエッジ強調処理による弊害を防止するものではない。
【０００６】
本発明は、上記の問題に鑑みてなされたものであり、その目的は、エッジ強調処理による弊害であるギラつきを抑制することができる映像処理装置を実現することにある。
【課題を解決するための手段】
【０００７】
上記の問題を解決するために、本発明の一態様に係る映像処理装置は、映像を構成するフレームに対してシュート成分を付加してエッジ強調を行うエンハンス処理を行うエッジ強調処理手段を備えた映像処理装置であって、上記フレームを構成する各画素について隣接する画素との間の輝度差を求め、当該輝度差が所定の第１閾値以上である画素の割合である第１割合を求める算出手段を備え、上記エッジ強調処理手段は、上記第１割合が大きいフレームほど上記シュート成分を小さくしてエンハンス処理を行うことを特徴とする。
【０００８】
また、本発明の一態様に係る映像処理方法は、映像を構成するフレームに対してシュート成分を付加してエッジ強調を行うエンハンス処理を行う映像処理方法であって、上記フレームを構成する各画素について隣接する画素との間の輝度差を求め、当該輝度差が所定の第１閾値以上である画素の割合である第１割合を求めるステップと、上記第１割合が大きいフレームほど上記シュート成分を小さくしてエンハンス処理を行うステップとを含むことを特徴とする。
【発明の効果】
【０００９】
本発明によれば、エッジ強調処理による弊害であるギラつきを抑制することができる。
【図面の簡単な説明】
【００１０】
【図１】本発明の実施形態１に係るテレビジョン受像機の構成を示す機能ブロック図である。
【図２】エッジヒストグラムの一例を示す図である。
【図３】エンハンス処理によりエッジ部分に付加されるシュート成分を示す図である。
【図４】フィルタ選択テーブルの一例を示す図である。
【図５】エッジヒストグラムと、第１〜第３割合の関係を示す図である。
【図６】フィルタ選択テーブルの別の例を示す図である。
【図７】実施形態２に係る映像処理装置の構成を示す機能ブロック図である。
【図８】フレーム差分ヒストグラムの算出例を示す図である。
【図９】輝度差分ヒストグラムの一例を示す図である。
【図１０】実施形態４に係る映像処理装置の構成を示す機能ブロック図である。
【図１１】実施形態６に係る映像処理装置の構成を示す機能ブロック図である。
【図１２】画質モードによる閾値の違いを説明する図である。
【図１３】本発明の実施形態８に係る映像処理装置の機能構成を示すブロック図である。
【図１４】本発明の実施形態８に係る映像処理装置による映像処理の手順を示すフローチャートである。
【図１５】本発明の実施形態８に係る映像処理装置において、ある映像から検出された、輝度ヒストグラムの一例を示す。
【図１６】本発明の実施形態８に係る映像処理装置において、ある映像から検出された、フレーム差分ヒストグラムの一例を示す。
【図１７】本発明の実施形態８に係る映像処理装置において、ある映像から検出された、エッジヒストグラムの一例を示す。
【図１８】本発明の実施形態８に係る映像処理装置による、エンハンスを調整する処理を概念的に示す。
【図１９】本発明の実施形態８に係る映像処理装置による、ＬＴＩを調整する処理を概念的に示す。
【発明を実施するための形態】
【００１１】
＜実施形態１＞
（テレビジョン受像機１）
図１は、本発明の実施形態１に係るテレビジョン受像機１の構成を示す機能ブロック図である。テレビジョン受像機１は、入力された映像の画質を改善する映像処理装置１００と、例えば液晶ディスプレイやプラズマディスプレイ、有機ＥＬディスプレイなど表示部３００と、映像処理装置１００から順次出力されるフレームで示される画像を表示部３００に表示させることで、当該複数のフレームにより構成される映像を表示させる表示制御部４００とを備えている。
【００１２】
（映像処理装置１００）
映像処理装置１００は、入力された映像信号の画質を改善し、映像を構成する複数のフレームを順次出力する。フレームは、所定数の画素の各々における複数色の濃度値を示す画像データで構成される。映像処理装置１００は、映像取得部１１０、復号処理部１２０、エッジヒストグラム作成部（算出手段）１３０、エッジ強調処理部（エッジ強調処理手段）１４０を備える。
【００１３】
（映像取得部１１０）
映像取得部１１０は、映像を信号化した映像信号を受け取る。映像信号の取得元は、例えば放送波、記憶媒体に格納された映像データなど、任意の形態の映像信号源が考えられる。また、映像取得部１１０は、映像信号の復号処理を実施するために必要となる量子化パラメータも取得する。例えば、量子化パラメータは映像ストリームのヘッダ部分などに記述されており、映像取得部１１０は、映像ストリームとともに量子化パラメータを取得する。
【００１４】
（復号処理部１２０）
復号処理部１２０は、映像取得部１１０が取得した映像信号を復号化する。映像信号は何らかの手法によって符号化されていることが通常であるため、復号処理部１２０の処理が必要となる。
【００１５】
復号処理部１２０が復号する映像信号は、例えば、ＭＰＥＧ−１、ＭＰＥＧ−２、及び、Ｈ．２６４／ＭＰＥＧ−４．ＡＶＣ等によって符号化されている。
【００１６】
復号処理部１２０は、例えば、画面内予測（イントラ予測）及び画面間予測（インター予測）の何れかを用いて予測画像を生成し、当該予測画像の各画素値に対して、映像信号から復号した各画素値を加算することによって、復号画像を生成する。
【００１７】
復号処理部１２０は、予測画像をインター予測によって生成する場合、すでに復号化され、図示しないフレームメモリに格納されている１または複数の復号化済み画像を参照し、当該復号化済み画像を構成する各ブロックに対して、動きベクトルを用いた動き補償を行うことによって予測画像を生成する。ここで、各動きベクトルを表す動きベクトル情報は、映像信号から復号される。
【００１８】
また、映像信号には、通常、各ブロックに含まれる画素の画素値を、ブロック毎に周波数変換（例えば、ＤＣＴ(Discrete Cosine Transform)変換）した後に、量子化パラメータに応じた量子化処理を施して得られる量子化変換係数（単に変換係数とも呼ぶ）が含まれている。例えば、映像信号が８×８画素のブロック毎に符号化されたものである場合、映像信号には８×８成分の量子化変換係数が各ブロックについて含まれている。
【００１９】
このような映像信号を復号する場合、復号処理部１２０は、各変換係数を量子化パラメータを参照して逆量子化した後、逆周波数変換を施すことによって、各画素値を復号する。
【００２０】
また、映像信号に含まれる各フレーム（ピクチャ）は、以下のように大別される。
【００２１】
・Ｉピクチャ：他のピクチャを参照することなく復号化することが可能なピクチャ。Ｉピクチャは、例えば、上述したイントラ予測を用いて符号化された画像である。
【００２２】
・Ｐピクチャ：他の１枚のピクチャを参照することによって復号化可能なピクチャ。Ｐピクチャは、例えば、上述したインター予測を用いて符号化された画像である。
【００２３】
・Ｂピクチャ：他の２枚のピクチャを参照することによって復号化可能なピクチャ。Ｂピクチャは、例えば、上述したインター予測を用いて符号化された画像である。
【００２４】
復号処理部１２０は、このようにして映像を構成する各フレームの画像データを出力する。
【００２５】
（エッジヒストグラム作成部１３０）
エッジヒストグラム作成部１３０は、復号処理部１２０から出力されたフレームごとに、当該フレームを構成する各画素について隣接画素との間の輝度差の絶対値である隣接画素間輝度差を求め、隣接画素間輝度差別の画素数を示すエッジヒストグラムを作成する。図２は、エッジヒストグラム作成部１３０により作成されるエッジヒストグラムの一例を示す図である。
【００２６】
また、エッジヒストグラム作成部１３０は、作成したエッジヒストグラムを基に、隣接画素間輝度差が所定の第１閾値以上である画素数の全画素数に対する割合である第１割合を求め、エッジ強調処理部１４０に出力する。
【００２７】
本実施形態では、エッジヒストグラム作成部１３０は、隣接画素間輝度差として、対象画素と当該対象画素の右に位置する画素との輝度差の絶対値を求めるものとする。これにより、エッジヒストグラム作成部１３０の処理速度が速くなる。また、映像を視るユーザにとってギラつきが気になりやすい画面縦方向のエッジによる輝度差を検出しやすくなる。
【００２８】
ただし、エッジヒストグラム作成部１３０による隣接画素間輝度差の求め方はこれに限定されるものではない。例えば、エッジヒストグラム作成部１３０は、隣接画素間輝度差として、対象画素と当該対象画素の左または上または下に位置する画素との輝度差の絶対値を求めてもよい。もしくは、エッジヒストグラム作成部１３０は、対象画素と当該対象画素の周囲に位置する４画素（右、左、上及び下に隣接するする画素）または８画素（右、左、上、下及び斜めに隣接する画素）との輝度差の絶対値の代表値（例えば、平均値、最大値など）を隣接画素間輝度差として求めてもよい。
【００２９】
（エッジ強調処理部１４０）
エッジ強調処理部１４０は、復号処理部１２０から出力された各フレームの全体に対してエッジ部分（輪郭部分）にオーバーシュート及び／またはアンダーシュートであるシュート成分を付加することでエッジ強調処理（エンハンス処理）を行う。具体的には、エッジ強調処理部１４０は、フレームの画像データの２次微分から得られる成分を当該画像データから差し引くエッジ強調フィルタをフレームに適用することによりエンハンス処理を行う。
【００３０】
ただし、エッジ強調処理部１４０は、エッジヒストグラム作成部１３０により求められた第１割合が大きいフレームほどシュート成分（つまりエッジ強調の度合い）を小さくしてエンハンス処理を行う。すなわち、第１割合が相対的に大きいフレームに対してシュート成分を小さくし、第１割合が相対的に小さいフレームに対してシュート成分を大きくする。
【００３１】
第１閾値以上の隣接画素間輝度差を有する画素数の全画素数に対する第１割合が大きい場合、隣接画素との輝度差が相対的に大きいエッジを多く含むことを意味している。隣接画素との輝度差が相対的に大きいエッジに対してエンハンス処理を実行すると、大きなシュート成分が付加されることにより、白い縁取りがエッジ部分に付き、ギラついて見えることがある。
【００３２】
しかしながら、本実施形態のエッジ強調処理部１４０は、第１割合が大きいフレームについてシュート成分を小さくしたうえでエンハンス処理を行う。そのため、隣接画素との輝度差が相対的に大きいエッジがギラついて見えることを防止することができる。
【００３３】
以下に、エッジ強調処理部１４０の具体的な２つの処理例を説明する。しかしながら、本発明はこれら具体例に限定されるものではなく、所定の第１閾値以上の隣接画素間輝度差を有する画素数の全画素数に対する第１割合が大きいほどシュート成分を抑制する処理であればよい。
【００３４】
（具体例１）
エッジ強調処理部１４０は、エンハンス処理においてエッジ部分に付加するシュート成分の大きさが異なる複数のエッジ強調フィルタを予め記憶しておく。図３は、エンハンス処理によりエッジ部分に付加されるシュート成分を示す図である。図３に示されるように、２次微分から得られたシュート成分が付加されることにより、エッジの上端ではオーバーシュートが生じ、エッジの下端ではアンダーシュートが生じる。そこで、エッジ強調処理部１４０は、シュート成分の深さＨ及び幅Ｗの大きさが異なる複数のエッジ強調フィルタを予め記憶しておく。ここでは、エッジ強調処理部１４０は、（１）２次微分成分をそのままシュート成分とする第１エッジ強調フィルタ、（２）第１エッジ強調フィルタよりもシュート成分の深さＨ及び幅Ｗを抑制させた第２エッジ強調フィルタ、（３）第２エッジ強調フィルタよりもさらにシュート成分の深さＨ及び幅Ｗを抑制させた第３エッジ強調フィルタを記憶している。すなわち、第１エッジ強調フィルタはエッジ強調の度合いが相対的に大きいフィルタ（つまりシュート成分を抑制していないフィルタ）であり、第２エッジ強調フィルタはエッジ強調の度合いが中程度のフィルタ（つまり、シュート成分を中程度抑制したフィルタ）であり、第３エッジ強調フィルタはエッジ強調の度合いが相対的に小さいフィルタ（つまり、シュート成分を強く抑制したフィルタ）である。なお、エッジ強調フィルタのフィルタ係数やフィルタサイズなどを調整することにより、シュート成分の大きさを制御することができる。
【００３５】
また、エッジ強調処理部１４０は、第１割合が取り得る範囲を３つに分割した分割範囲の各々と当該分割範囲に適したエッジ強調フィルタとを対応付けたフィルタ選択テーブル（対応情報）を記憶している。図４は、フィルタ選択テーブルの一例を示す図である。図４では、「３０％未満」「３０％〜７０％未満」「７０％〜１００％」の３つの分割範囲が含まれる。図４に示されるように、第１割合が大きいほどシュート成分（エッジ強調の度合い）の小さいエッジ強度フィルタが対応付けられている。そして、エッジ強調処理部１４０は、フィルタ選択テーブルを参照して、各フレームに対して求められた第１割合に対応するエッジ強調フィルタを決定し、決定したエッジ強調フィルタを用いてエンハンス処理を行う。
【００３６】
本具体例によれば、第１割合が大きいフレームほどシュート成分が小さいエッジ強調フィルタによりエンハンス処理が実行される。すなわち、隣接画素との輝度差が大きいエッジが多く含まれているフレームには、シュート成分が小さいエッジ強調フィルタが適用される。そのため、エンハンス処理におけるオーバーシュート及びアンダーシュートの大きさが小さくなり、隣接画素との輝度差が大きいエッジがギラついて見えることを防止することができる。
【００３７】
なお、本具体例では、エッジ強調処理部１４０が３種類のエッジ強調フィルタを予め記憶しておき、３段階のシュート成分のいずれかでエンハンス処理を行うものとした。しかしながら、エッジ強調処理部１４０が記憶するエッジ強調フィルタは３種類に限定されず、２種類または４種類以上であってもよい。いずれの場合であっても、第１割合が大きいフレームほどシュート成分の小さいエッジ強調フィルタを選択することにより、エンハンス処理の弊害であるギラつきを防止することができる。
【００３８】
（具体例２）
映像には様々な種類のものがあり、例えばＣＧ映像のような単色ベタ領域の多いものがある。このような単色ベタ領域の多い映像の場合、エッジ強調の度合いをそれほど高める必要がない。単色ベタ領域に無理にシュート成分を付加すると、それがノイズとなり画質を劣化させる可能性がある。本具体例は、単色ベタ領域の多い映像とそうでない映像においてもシュート成分の大きさを変化させる例である。
【００３９】
本具体例においても、具体例１と同様に、エッジ強調処理部１４０は、第１〜第３エッジ強調フィルタを予め記憶しておく。
【００４０】
本具体例では、図５に示されるように、エッジヒストグラム作成部１３０は、エッジヒストグラムを基に、第１割合の他に、第１閾値未満で第２閾値（＜第１閾値）以上の隣接画素間輝度差を有する画素数の全画素数に対する第２割合と、第２閾値未満の隣接画素間輝度差を有する画素数の全画素数に対する第３割合とを求め、エッジ強調処理部１４０に出力する。
【００４１】
さらに、エッジ強調処理部１４０は、第１割合に対する範囲と当該範囲に適したエッジ強調フィルタとを対応付けたフィルタ選択テーブルを記憶している。ただし、エッジ強調処理部１４０は、第２割合≧第３割合を満たすか否かに応じて異なるフィルタ選択テーブルを記憶している。図６は、本具体例２におけるフィルタ選択テーブルの一例を示す図である。図６に示されるように、エッジ強調処理部１４０は、第２割合≧第３割合を満たす場合の第１フィルタ選択テーブルと、第２割合＜第３割合を満たす場合の第２フィルタ選択テーブルとを記憶している。なお、第２フィルタ選択テーブルにおいて第１割合が７０〜１００％に対応するフィルタが設定されていない。これは、エンハンス処理を行わず、シュート成分が０であることを意味している。第１フィルタ選択テーブル及び第２フィルタ選択テーブルのいずれにおいても、第１割合が大きいほどシュート成分の小さいエッジ強度フィルタが対応付けられている。ただし、同じ第１割合に対応するエッジ強調フィルタにおけるシュート成分（エッジ強調の度合い）は、第１フィルタ選択テーブルの方が第２フィルタ選択テーブルよりも大きくなるように設定されている。
【００４２】
そして、エッジ強調処理部１４０は、各フレームに対して求めた第２割合と第３割合とを比較し、第２割合≧第３割合を満たす場合には第１フィルタ選択テーブルを、第２割合＜第３割合を満たす場合には第２フィルタ選択テーブルを対象テーブルとして決定する。その後、エッジ強調処理部１４０は、決定した対象テーブルを参照して、第１割合に対応するエッジ強調フィルタを決定し、決定したエッジ強調フィルタを用いてエンハンス処理を行う。
【００４３】
単色ベタ領域の多い映像では、隣接画素間輝度差が相対的に小さい画素の数が多くなる。そのため、第２割合＜第３割合を満たす場合の映像は、単色ベタ領域が多い可能性が高くなる。本具体例では、第２割合＜第３割合を満たす場合には、シュート成分が相対的に小さい第２フィルタ選択テーブルが対象テーブルとして決定される。そのため、単色ベタ領域が多い映像については不必要に強いエンハンス処理を行わなくてすみ、画質の劣化を防止できる。
【００４４】
また、第１フィルタ選択テーブル及び第２フィルタ選択テーブルのいずれにおいても、第１割合が大きいほどシュート成分の小さいエッジ強度フィルタが対応付けられている。そのため、隣接画素との輝度差が大きいエッジが多く含まれているフレームには、シュート成分が相対的に小さいエッジ強調フィルタが適用されるため、隣接画素との輝度差が大きいエッジがギラついて見えることを防止することができる。
【００４５】
（実施形態１のまとめ）
本実施形態の映像処理装置１００は、映像を構成するフレームに対してシュート成分を付加してエッジ強調を行うエンハンス処理を行うエッジ強調処理部（エッジ強調処理手段）１４０を備えるとともに、フレームを構成する各画素について隣接画素間輝度差を求め、当該隣接画素間輝度差が所定の第１閾値以上である画素の割合である第１割合を求めるエッジヒストグラム作成部（算出手段）１３０を備える。そして、エッジ強調処理部１４０は、第１割合が大きいフレームほどシュート成分を小さくしてエンハンス処理を行う。なお、第１閾値としては、大きなシュート成分が付加された場合にギラつきの原因となる白い縁取りが現れる隣接画素間輝度差の値が設定される。これにより、隣接する画素との間の輝度差が大きいエッジを含むフレームにおいて、シュート成分による白い縁取りが生じることを抑制することができる。その結果、エッジ強調処理による弊害であるギラつき、例えば縦じまのスーツの縞のギラつきを抑制することができる。
【００４６】
＜実施形態２＞
本発明の他の実施形態について、図７ないし図９に基づいて説明すれば、以下のとおりである。なお、説明の便宜上、実施形態１にて説明した図面と同じ機能を有する部材については、同じ符号を付記し、その説明を省略する。
【００４７】
隣接画素間輝度差が大きいエッジに対してシュート成分の大きいエンハンス処理を行うことで生じるギラつきは、隣接画素間輝度差が大きいエッジを多く有する同一シーンがスクロール表示される際に目立つことが多い。例えば、縦じまのスーツを着用した人物（例えばニュースキャスターなど）を含む映像をスクロール表示した場合などである。本実施形態は、このようなギラつきが目立つときに限定してシュート成分を小さくする形態である。
【００４８】
（映像処理装置１０１）
図７は、本実施形態に係る映像処理装置１０１の構成を示すブロック図である。図７に示されるように、映像処理装置１０１は、実施形態１の映像処理装置１００（図１参照）と比較して、エッジ強調処理部１４０の代わりにエッジ強調処理部１４１を備え、さらに同一シーン量検出部１５１及び動き量検出部１６１を備えている点で相違する。
【００４９】
（同一シーン量検出部１５１）
同一シーン量検出部１５１は、処理対象となる対象フレームと当該対象フレームの前のフレームとが同一シーンを示している度合いである同一シーン量を検出する。同一シーン量検出部１５１は、検出した同一シーン量をエッジ強調処理部１４１に出力する。
【００５０】
具体的には、同一シーン量検出部１５１は、フレームごとに、当該フレームの全画素について輝度値別の画素数を示す輝度ヒストグラムを求める。そして、同一シーン検出部は、対象フレームに対して求めた輝度ヒストグラムと、対象フレームの前のフレームに対して求めた輝度ヒストグラムとの差分のヒストグラムであるフレーム差分ヒストグラムを求める。図８は、同一シーン量検出部１５１におけるフレーム差分ヒストグラムの算出例を示す図である。そして、同一シーン量検出部１５１は、フレーム差分ヒストグラムの総度数を同一シーン量として求める。
【００５１】
（動き量検出部１６１）
動き量検出部１６１は、処理対象となる対象フレームと当該対象フレームの前のフレームとの間の映像の動きを示すパラメータである動き量を検出する。動き量検出部１６１は、検出した動き量をエッジ強調処理部１４１に出力する。
【００５２】
具体的には、動き量検出部１６１は、各画素について、対象フレームと対象フレームの前のフレームとの間の輝度差の絶対値であるフレーム間輝度差を求める。そして、動き量検出部１６１は、フレーム間輝度差別の画素数を示す輝度差分ヒストグラムを求める。図９は、動き量検出部１６１が求めた輝度差分ヒストグラムの一例を示す図である。そして、動き量検出部１６１は、輝度差分ヒストグラムにおいて所定の動き閾値以上の度数の割合（動き閾値以上の度数の和／全度数の総和）を動き量として求める。なお、動き閾値は予め設定されている値である。
【００５３】
（エッジ強調処理部１４１）
エッジ強調処理部１４１は、エッジ強調処理部１４０と同様に、各フレームに対して、エッジ部分にオーバーシュート及び／またはアンダーシュートであるシュート成分を付加することでエッジ強調（輪郭強調）するエンハンス処理を行う。また、エッジ強調処理部１４１は、エッジ強調処理部１４０と同様に、所定の第１閾値以上の隣接画素間輝度差を有する画素数の全画素数に対する第１割合を求め、第１割合に応じてシュート成分の大きさを変化させる。ただし、本実施形態では、以下の条件Ａ、Ｂの両方を満たす場合に限り、第１割合に応じてシュート成分の大きさを変化させる。
条件Ａ：同一シーン量＜同一シーン判別閾値
条件Ｂ：動き量＞動きシーン判別閾値。
【００５４】
ここで、同一シーン判別閾値は予め設定された量（所定量）であり、様々な映像を基に実験的に求められた、同一シーンである場合と同一シーンではない場合とを区別しやすい値が設定される。同一シーン量は、対象フレームと前のフレームとで示される映像が同一シーンであるほど小さくなるパラメータである。そのため、条件Ａを満たすことで、前のフレームと同一シーンである確率の高い対象フレームを検出することができる。
【００５５】
また、動きシーン判別閾値は予め設定された量（所定量）であり、様々な映像を基に実験的に求められた、大きなシュート成分を付加したときにエッジのギラつきが目立ちはじめる動き量の値が設定される。動き量は、前のフレームに対する対象フレーム内の映像対象物の動きの大きさに比例して大きくなるパラメータである。そのため、条件Ｂを満たすことで、前のフレームに対して映像対象物が動いている確率の高い対象フレームを検出することができる。
【００５６】
上述したように、隣接画素間輝度差が大きいエッジに対してエンハンス処理を行うことで生じるギラつきが目立つ映像とは、同一シーンがスクロール表示される映像である。そのため、エッジ強調処理部１４１は、条件Ａ、Ｂの両方を満たすフレームを抽出することで、ギラつきが目立つフレームを特定することができる。
【００５７】
以下、エッジ強調処理部１４１におけるシュート成分の大きさを変化させる具体例について説明する。
【００５８】
（具体例３）
エッジ強調処理部１４１は、図３に示されるシュート成分の深さＨ及び幅Ｗの大きさが異なる２種類のエッジ強調フィルタを予め記憶しておく。ここでは、エッジ強調処理部１４１は、２次微分成分をそのまま適用させる第１エッジ強調フィルタと、第１エッジ強調フィルタと比べてシュート成分の深さＨ及び幅Ｗを抑制させた第Ｎエッジ強調フィルタとを記憶している。
【００５９】
エッジ強調処理部１４１は、条件Ａ及びＢの少なくとも一方が満たされない場合、第１エッジ強調フィルタを用いてエンハンス処理を実行する。条件Ａ及びＢの少なくとも一方が満たされない場合、エンハンス処理の弊害となるギラつきが目立たないため、シュート成分が抑制されていない第１エッジ強調フィルタを用いてもそれほど映像が視にくくならない。
【００６０】
一方、エッジ強調処理部１４１は、条件Ａ及びＢの両方を満たす場合、第１割合が以下の条件Ｃを満たすか否かを判定する。
条件Ｃ：第１割合＞大エッジシーン判別閾値
ここで、大エッジシーン判別閾値は予め設定されており、例えば実施形態１で説明した図４の「７０％〜１００％」の分割範囲と同様に７０％が設定される。第１割合は、実施形態１で説明したように、隣接画素間輝度差の大きい画素を多く有するフレーム、つまり、はっきりとしたエッジ部分が多いフレームほど大きくなるパラメータである。そのため、条件Ｃを満たすことで、隣接画素間輝度差の大きい画素を多く有するフレームを検出することができる。
【００６１】
そして、エッジ強調処理部１４１は、条件Ｃを満たす場合、第Ｎエッジ強調フィルタを用いてエッジ強調処理を行い、条件Ｃを満たさない場合、第１エッジ強調フィルタを用いてエッジ強調処理を行う。
【００６２】
これにより、条件Ａ〜Ｃを満たす場合、つまり、シュート成分の大きいエッジ強調処理を行ったときにギラつきが目立つ場合にのみ、第Ｎエッジ強調フィルタを用いることでシュート成分を抑制した状態でエンハンス処理が実行される。その結果、隣接画素間輝度差が大きいエッジであってもギラつきを防止することができる。
【００６３】
（具体例４）
上記具体例３の場合、条件Ａ〜Ｃを満たすタイミングでエッジ強調処理部１４１は、エンハンス処理で用いるフィルタを第１エッジ強調フィルタから第Ｎエッジ強調フィルタに変更する。ここで、第１エッジ強調フィルタを用いたときのシュート成分と第Ｎエッジ強調フィルタを用いたときのシュート成分との差分が大きい場合、エッジ強調の度合いの変化が目立つ可能性がある。そこで、本具体例４では、このような変化を目立たせないように徐々にエッジ強調の度合いを変化させる。
【００６４】
エッジ強調処理部１４１は、第１エッジ強調フィルタ及び第Ｎエッジ強調フィルタの他に、第２〜第（Ｎ−１）エッジ強調フィルタを予め記憶しておく。ただし、第ｋエッジ強調フィルタ（ｋ＝２〜Ｎ）を用いたときのシュート成分の深さＨ及び幅Ｗは、第（ｋ−１）エッジ強調フィルタを用いたときのシュート成分の深さＨ及び幅Ｗよりも小さくなるように、第２〜第（Ｎ−１）エッジ強調フィルタが設定されている。すなわち、エッジ強調処理部１４１は、シュート成分がＮ段階で順に小さくなるＮ個のエッジ強調フィルタを記憶している。なお、段階数Ｎは特に限定されるものではない。
【００６５】
そして、エッジ強調処理部１４１は、条件Ａ〜Ｃを満たすフレームに対して、前のフレームに対して適用したエッジ強調フィルタよりも１段階だけシュート成分が小さいエッジ強調フィルタを適用する。ただし、前のフレームに対して適用したフィルタが第Ｎエッジ強調フィルタである場合には、当該第Ｎエッジ強調フィルタを適用する。これにより、条件Ａ〜Ｃを満たすフレームが連続する場合、第１〜第Ｎエッジ強調フィルタが順次適用されるため、エッジ強調の度合いが徐々に小さくなるように変化し、当該変化を目立たなくさせることができる。
【００６６】
（その他の具体例）
条件Ａ及び条件Ｂを満たす場合に限り、エッジ強調処理部１４１は、実施形態１の具体例１または具体例２に示す処理を行ってもよい。
【００６７】
（実施形態２のまとめ）
本実施形態の映像処理装置１０１は、対象フレームと当該対象フレームの前のフレームとが同一シーンを示している度合いである同一シーン量を検出する同一シーン量検出部（同一シーン量検出手段）１５１と、対象フレームと当該対象フレームの前のフレームとの間の映像の動き量を検出する動き量検出部（動き量検出手段）１６１とを備える。そして、エッジ強調処理部（エッジ強調処理手段）１４１は、同一シーン量が所定量である同一シーン判別閾値よりも同一シーンである度合いが高いことを示しており、かつ、動き量が所定量である動きシーン判別閾値よりも大きいことを示している場合に、第１割合が大きいフレームほどシュート成分を小さくしてエンハンス処理を行う。これにより、ギラつきがより目立つ可能性のあるフレームに限定して、シュート成分を制御してエンハンス処理が行われる。すなわち、シュート成分を変化させる処理を必要最小限に抑えることができる。
【００６８】
＜実施形態３＞
上記の実施形態１，２では、エッジ強調処理部１４０，１４１は、隣接画素との輝度差が第１閾値以上である画素の第１割合が大きいフレームほどシュート成分が小さいエッジ強調フィルタを適用することでギラつきを防止している。ただし、シュート成分を抑制することにより映像がぼける可能性がある。そこで、エッジ強調処理部１４０，１４１は、シュート成分が小さいエッジ強調フィルタを適用する場合、シュート成分の抑制量に応じてＬＴＩ（Ｌｕｍｉｎａｎｃｅ Ｔｒａｎｓｉｅｎｔ Ｉｍｐｒｏｖｅｍｅｎｔ）処理を行ってもよい。ＬＴＩ処理とは、エッジに対してシュート成分を付加することなく、エッジの傾きを急峻にすることでエッジ強調させる処理である。また、シュート成分の抑制量が大きいエッジ強調フィルタほど、ＬＴＩ処理の強度、つまりエッジの傾きを急峻にする度合いを大きくしてもよい。
【００６９】
例えば、実施形態１の具体例１の場合、本実施形態のエッジ強調処理部１４０は、第３エッジ強調フィルタを用いてエンハンス処理を実行する際に、ＬＴＩ処理も合わせて行う。もしくは、エッジ強調処理部１４０は、第２エッジ強調フィルタ及び第３エッジ強調フィルタを用いてエンハンス処理を実行する際に、ＬＴＩ処理も合わせて行う。この場合、ＬＴＩ処理の強度を、第２エッジ強調フィルタを用いる場合よりも第３エッジ強調フィルタを用いる場合に強くする。
【００７０】
これにより、シュート成分を抑制することにより映像がぼけることを防止することができる。
【００７１】
＜実施形態４＞
上記の実施形態において、エッジ強調処理部１４０，１４１によるエッジ強調フィルタの切替機能のオン／オフをユーザ指示に応じて変更してもよい。図１０は、実施形態１の変形形態である本実施形態４に係る映像処理装置１０２の構成を示す機能ブロック図である。図１０に示されるように、映像処理装置１０２は、図１に示す映像処理装置１００と比較して、エッジ強調処理部１４０の代わりにエッジ強調処理部１４２を備え、さらに指示受付部（指示受付手段）１７２を備える点で異なる。
【００７２】
指示受付部１７２は、（１）第１エッジ強調フィルタを用いてエンハンス処理を行うシュート抑制「弱」モード、（２）第２エッジ強調フィルタを用いてエンハンス処理を行うシュート抑制「中」モード、（３）第３エッジ強調フィルタを用いてエンハンス処理を行うシュート抑制「強」モード、（４）第１割合に応じたエッジ強調フィルタを用いてエンハンス処理を行う「自動」モード、の何れかの設定指示を受け付ける。
【００７３】
エッジ強調処理部１４２は、指示受付部１７２が受け付けたモードに従って、エッジ強調フィルタを選択する。すなわち、エッジ強調処理部１４２は、シュート抑制「弱」モードが指示された場合、第１割合に関係なく第１エッジ強調フィルタを用いる。また、エッジ強調処理部１４２は、シュート抑制「中」モードが指示された場合、第１割合に関係なく第２エッジ強調フィルタを用いる。同様に、エッジ強調処理部１４２は、シュート抑制「強」モードが指示された場合、第１割合に関係なく第３エッジ強調フィルタを用いる。このように、シュート抑制「弱」モード、シュート抑制「中」モード、シュート抑制「強」モードは、第１割合に応じてシュート成分を変更する機能をオフにするモードである。
【００７４】
一方、エッジ強調処理部１４２は、「自動」モードが指示された場合、実施形態１の具体例１，２で記載したように、第１割合に応じてエッジ強調フィルタを選択し、エンハンス処理を実行する。すなわち、「自動」モードは、第１割合に応じてシュート成分を変更する機能をオンにするモードである。
【００７５】
＜実施形態５＞
上記の実施形態では、エッジ強調処理部１４０，１４１の処理対象は、フレームの画面全体であるものとしたが、画面の一部のブロックのみに限定してもよい。
【００７６】
例えば、エッジヒストグラム作成部１３０は、フレームを構成する複数のブロックごとにエッジヒストグラムを作成し、ブロックごとに第１割合を算出する。このとき第１割合は、対象となるブロックにおいて隣接画素間輝度差が所定の第１閾値以上である画素数を、当該ブロックの全画素数で割った値となる。そして、エッジ強調処理部１４０，１４１は、ブロックごとに第１割合に応じたエッジ強調フィルタを選択してもよい。
【００７７】
＜実施形態６＞
本発明の他の実施形態６について図１１に基づいて説明する。なお、説明の便宜上、上記の実施形態にて説明した図面と同じ機能を有する部材については、同じ符号を付記し、その説明を省略する。
【００７８】
本実施形態では、ユーザにより選択された画質モードに応じてエッジ強調処理の程度を変える形態である。図１１は、実施形態６に係る映像処理装置１０３の構成を示す機能ブロック図である。図１１に示されるように、映像処理装置１０３は、図１に示す映像処理装置１００と比較して、エッジヒストグラム作成部１３０の代わりにエッジヒストグラム作成部１３１を備え、さらに画質モード決定部（画質モード決定手段）１７３を備える点で異なる。
【００７９】
画質モード決定部１７３は、表示部４００に表示する映像の画質モードを決定する。画像モード決定部１７３は、ユーザ入力に従って画質モードを決定する。画質モードとしては、例えば、標準モード、ダイナミックモード、映画モード等がある。標準モードは、一般家庭において様々な映像コンテンツを視聴するのに適した汎用的なモードであり、ダイナミックモードは、例えば店頭において人目をひくように、色を濃くして輪郭を強調したモードであり、映画モードは、階調性を重視して、フィルムライクな映像（映画館で鑑賞しているような映像）を実現したモードである。
【００８０】
エッジヒストグラム作成部１３１は、実施形態１に記載のエッジヒストグラム作成部１３０の機能に加えて、画質モード決定部により決定された画質モードに応じて、図５に示す第１閾値および第２閾値を変化させる機能を備えている。
【００８１】
具体的には、エッジヒストグラム作成部１３１は、標準モード用の第１閾値および第２閾値、ダイナミックモード用の第１閾値および第２閾値、ならびに、映画モード用の第１閾値および第２閾値を予め記憶している。ただし、各閾値は、
ダイナミックモード用の第１閾値＞標準モード用の第１閾値＞映画モード用の第１閾値、
ダイナミックモード用の第２閾値＞標準モード用の第２閾値＞映画モード用の第２閾値
の条件を満たす。そして、エッジヒストグラム作成部１３１は、画質モード決定部１７３により決定された画質モードに対応する第１閾値および第２閾値を用いて、第１割合、第２割合および第３割合を求め、エッジ強調処理部１４０に出力する。
【００８２】
図１２の（ａ）は、標準モード用の第１閾値および第２閾値と、ダイナミックモード用の第１閾値および第２閾値との関係を示している。図示されるように、ダイナミックモード用の第１閾値および第２閾値は、標準モード用の第１閾値および第２閾値よりも隣接画素間輝度差が大きい方にシフトしている。そのため、隣接画素間輝度差が大きい成分の割合を示す第１割合の値は、標準モードよりもダイナミックモードの方が小さい値となる。その結果、エッジ強調処理部１４０は、図６のフィルタ選択テーブルに従い、エンハンス処理の強度を、標準モードよりもダイナミックモードの方で強くでき、相対的に輪郭を強調した映像を実現することができる。
【００８３】
また、図１２の（ｂ）は、標準モード用の第１閾値および第２閾値と、映画モード用の第１閾値および第２閾値との関係を示している。図示されるように、映画モード用の第１閾値および第２閾値は、標準モード用の第１閾値および第２閾値よりも隣接画素間輝度差が小さい方にシフトしている。そのため、隣接画素間輝度差が大きい成分の割合を示す第１割合の値は、標準モードよりも映画モードの方が大きい値となる。その結果、エッジ強調処理部１４０は、図６のフィルタ選択テーブルに従い、エンハンス処理の強度を、標準モードよりも映画モードの方で弱くでき、過度な輪郭強調を行わずにフィルムライクな映像を実現することができる。
【００８４】
標準モード用の第１閾値および第２閾値の各々は、ダイナミックモード用の第１閾値および第２閾値と映画モード用の第１閾値および第２閾値との中間の値に設定されている。そのため、一般家庭にて通常放送を視聴するのに適した輪郭強調を行うとともに、他モードとの差別化を図ることができる。
【００８５】
なお、上記の説明は、実施形態１における具体例２に対応する処理を本実施形態で行う場合の説明である。実施形態１における具体例１に対応する処理を本実施形態で行う場合、エッジヒストグラム作成部１３１は、標準モード用の第１閾値、ダイナミックモード用の第１閾値および映画モード用の第１閾値を予め記憶しておき（ただし、ダイナミックモード用の第１閾値＞標準モード用の第１閾値＞映画モード用の第１閾値）、画質モード決定部により決定された画質モードに対応する第１閾値を用いて第１割合を求めればよい。
【００８６】
また、本実施形態において、映像処理装置１０３は、画質モード決定部１７３により決定された画質モードに応じて、明るさやコントラスト等を画質調整を行ってもよい。画質調整の方法は従来公知の方法を用いればよいので、ここでは詳細な説明を省略する。
【００８７】
＜実施形態７＞
各実施形態において、映像取得部１１０が映像信号を取得する取得元として以下のような例が考えられる。
（映像信号源の例１）アナログ映像放送波から映像信号を取得する。
（映像信号源の例２）デジタル映像放送波から映像信号を取得する。
（映像信号源の例３）Ｂｌｕ−ｒａｙ（登録商標）ディスク、ＤＶＤ（Ｄｉｇｉｔａｌ Ｖｅｒｓａｔｉｌｅ Ｄｉｓｋ）、ＨＤＤなどの記憶媒体に記録されている映像信号を取得する。
（映像信号源の例４）ＩＰ放送波、ＣＡＴＶ放送波などの放送波から映像信号を取得する。
（映像信号源の例５）外付け映像記録装置、外付け映像取得装置などの外部装置から、映像信号を取得する。
【００８８】
＜その他＞
映像取得部１１０、復号処理部１２０、エッジヒストグラム作成部１３０，１３１、エッジ強調処理部１４０，１４１，１４２、同一シーン量検出部１５１、動き量検出部１６１、指示受付部１７２、画質モード決定部１７３は、これらの機能を実現する回路デバイスなどのハードウェアを用いて実現することもできるし、マイコンやＣＰＵ（Ｃｅｎｔｒａｌ Ｐｒｏｃｅｓｓｉｎｇ Ｕｎｉｔ）などの演算装置とその動作を規定するソフトウェアを用いて構成することもできる。
【００８９】
また、各実施形態で説明する映像処理装置１００，１０１，１０２の各機能部の処理を実現するためのプログラムをコンピュータ読み取り可能な記憶媒体に記録して、この記憶媒体に記録されたプログラムをコンピュータシステムに読み込ませ、実行することにより、各機能部の処理を実現してもよい。なお、ここでいう「コンピュータシステム」とは、ＯＳ（Ｏｐｅｒａｔｉｎｇ Ｓｙｓｔｅｍ）や周辺機器等のハードウェアを含むものとする。
【００９０】
また、前記プログラムは、前述した機能の一部を実現するためのものであってもよく、さらに前述した機能をコンピュータシステムにすでに記録されているプログラムとの組み合わせで実現できるものであってもよい。
【００９１】
また、上記プログラムを格納した「記憶媒体」とは、フレキシブルディスク、光磁気ディスク、ＲＯＭ（Ｒｅａｄ Ｏｎｌｙ Ｍｅｍｏｒｙ）、ＣＤ−ＲＯＭ等のコンピュータ読み取り可能な可搬媒体、コンピュータシステムに内蔵されるハードディスク等の記憶装置などのことをいう。さらには、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
＜実施形態８＞
ここで、表示装置に表示される映像の中には、文字情報を含んだものが多く存在する。例えば、テレビジョン受像機においては、文字放送、録画リスト、番組表等、文字を多く含んだ映像が表示される機会が多い。このため、近年では、テレビジョン受像機おける文字情報は、単なる補助的なものではなく、視聴者にとって重要な情報伝達手段の一つとなっている。
【００９２】
それにも関わらず、テレビジョン受像機の中には、文字情報の視認性を高める機能を備えてなく、主に表示される映像である主映像のための画質設定が、そのまま文字情報の表示に反映されてしまうものも多く存在する。このため、例えば、主映像に対するエンハンス（輪郭強調）を強める設定がなされると、文字情報のエンハンスまでもが必要以上に強められてしまい、白い縁取りが文字のエッジ部分に付き、文字情報の視認性が低下する場合もある。
【００９３】
そこで、テレビジョン受像機に代表される各種映像機器に関し、このような文字情報の視認性を高める技術が考案されている。例えば、上掲の特許文献２には、テレビ放送受信機において、映像に含まれる文字の視認性を高めるために、映像から文字を抽出し、抽出された文字に対して、エッジ強調処理、コントラスト増加処理、および、文字濃度調整処理をおこなう技術が開示されている。
【００９４】
しかしながら、特許文献２に記載の技術では、効率的な処理をおこなっているとはいい難い。例えば、特許文献２には、色情報クラスタリング処理、２値化処理、ノイズ除去処理等を施して文字を抽出する構成を採用している。これら処理は、複雑なロジックによるものであるため、比較的時間がかかる。特に、近年では、映像コンテンツの高解像度化および高フレームレート化が顕著であり、上記したように文字を抽出する処理に時間がかかってしまうと、映像の動きが停止してしまう等、映像の表示が不安定なものとなってしまう。
【００９５】
以降の実施形態にて説明する構成は、上記の問題に鑑みてなされたものであり、その目的は、映像に含まれている文字の視認性を効率的に高めることができる映像処理装置を実現することにある。
【００９６】
以下では、図１３〜図１９を参照して、本発明の実施形態８について説明する。実施形態８では、映像の特徴量に基づいて当該映像に文字が含まれているかを判断し、文字が含まれていると判断した場合には、各文字強調処理（エッジ強調処理）を上記映像に施す例を説明する。なお、実施形態８の映像処理装置２００において、実施形態８で説明する文字強調処理に代えて、実施形態１〜６のいずれかに記載のエッジ強調処理を行ってもよい。
【００９７】
〔映像処理装置２００の機能構成〕
図１３は、本発明の実施形態８に係る映像処理装置２００の機能構成を示すブロック図である。映像処理装置２００は、映像に含まれている文字の視認性を高めるための処理をおこなうことができる装置である。映像処理装置２００は、映像データを扱う各種映像機器（例えば、テレビジョン受像機や各種レコーダ機器等）に実装され得る。本実施形態では、テレビジョン受像機１０に映像処理装置２００を実装した実施形態を説明する。なお、テレビジョン受像機１０は、映像処理装置２００を実装した点以外は、一般的なテレビジョン受像機と同様の構成であるため、その具体的な説明は省略する。
【００９８】
図１３に示すように、映像処理装置２００は、取得部２０２、復号化部２０４、検出部２１０、判断部２０６、および文字強調部２２０を備えている。
【００９９】
（取得部２０２）
取得部２０２は、処理対象の映像データ（映像信号）を取得する。例えば、取得部２０２は、テレビジョン受像機１０が備えるチューナによって受信された映像データや、テレビジョン受像機１０に接続された外部機器（例えば、ＨＤＤ（Hard Disk Drive）レコーダ、ＢＤ（Blu-ray Disc（登録商標））レコーダ等）から入力された映像データ、テレビジョン受像機１０に装着された各種記録媒体（ＨＤＤ、光学ディスク、メモリカード等）に記録されている映像データ等を取得する。取得部２０２が取得する映像データの種類および格納先は、上記に限定されない。
【０１００】
（復号化部２０４）
復号化部２０４は、取得部２０２によって取得された映像データを復号化する。取得部２０２によって取得された映像データは、何らかの符号化方式（例えば、ＭＰＥＧ−１、ＭＰＥＧ−２、Ｈ．２６４／ＭＰＥＧ−４．ＡＶＣ等）によって符号化されている場合がある。この場合、復号化部２０４は、取得部２０２によって取得された映像データを、その映像データに適用されている符号化方式に応じた復号化方法により、復号化する。取得部２０２が、符号化されていない映像データを取得し得る。この場合、復号化部２０４による復号化処理は不要である。このため、映像処理装置２００を、復号化部２０４を設けない構成とすることもできる。
【０１０１】
（検出部２１０）
検出部２１０は、取得部２０２によって取得された映像データが表す映像の各種特徴量を検出する。検出部２１０は、エッジヒストグラム検出部２１２、フレーム差分ヒストグラム検出部２１４、および輝度ヒストグラム検出部２１６を備えている。
【０１０２】
エッジヒストグラム検出部２１２は、上記特徴量として、上記映像のエッジヒストグラムを検出する。エッジヒストグラムとは、上記映像（フレーム画像）の各画素についての、隣接する他の画素との輝度の差分値である第２の差分値を統計することによって得られる、当該第２の差分値の度数分布を示すものである。
【０１０３】
フレーム差分ヒストグラム検出部２１４は、上記特徴量として、上記映像のフレーム差分ヒストグラムを検出する。フレーム差分ヒストグラムとは、上記映像（フレーム画像）の各画素についての、フレーム間（当該フレーム画像と前のフレーム画像との間）の輝度の差分値である第１の差分値を統計することによって得られる、当該第１の差分値の度数分布を示すものである。
【０１０４】
輝度ヒストグラム検出部２１６は、上記特徴量として、上記映像の輝度ヒストグラムを検出する。輝度ヒストグラムとは、上記映像（フレーム画像）の各画素についての、輝度を統計することによって得られる、当該輝度の度数分布を示すものである。
【０１０５】
（判断部２０６）
判断部２０６は、検出部２１０によって検出された各種特徴量（エッジヒストグラム、フレーム差分ヒストグラム、および輝度ヒストグラム）に基づいて、取得部２０２によって取得された映像データが表す映像に、文字が含まれているか否かを判断する。
【０１０６】
ここでいう、文字が含まれているか否かの判断は、少なくとも１文字が含まれているかを判断するのではなく、文字強調部２２０による処理が必要な程度に、多数の文字が含まれているかを判断することを意味する。
【０１０７】
（文字強調部２２０）
文字強調部２２０は、映像データが表す映像に含まれている文字の視認性を高める処理を上記映像に施す。文字強調部２２０は、エンハンス制御部２２２、ＬＴＩ制御部２２４、およびＣＴＩ制御部２２６を備えている。エンハンス制御部２２２は、映像データが表す映像に含まれている文字の視認性を高めるべく、上記映像のエンハンスを弱める。ＬＴＩ制御部２２４は、映像データが表す映像に含まれている文字の視認性を高めるべく、上記映像のＬＴＩ（Luminance Transient Improvement）を強める。すなわち、映像のエッジ部分に対してシュート成分を付加することなく、その輝度変化率の傾きを急峻にすることで、当該エッジ部分を強調する。ＣＴＩ制御部２２６は、映像データが表す映像に含まれている文字の視認性を高めるべく、上記映像のＣＴＩ（Color Transient Improvement）を制御する。
【０１０８】
〔映像処理装置２００による映像処理の手順〕
次に、図１４を参照して、本発明の実施形態８に係る映像処理装置２００による映像処理の手順について説明する。図１４は、本発明の実施形態８に係る映像処理装置２００による映像処理の手順を示すフローチャートである。
【０１０９】
（取得工程および復号化工程）
まず、取得部２０２が、処理対象の映像データを取得する（ステップＳ２０２）。次に、復号化部２０４が、ステップＳ２０２で取得された映像データを復号化する（ステップＳ２０４）。
【０１１０】
（検出工程）
次に、エッジヒストグラム検出部２１２が、ステップＳ２０４で復号化された映像データから、当該映像データが表す映像のエッジヒストグラムを検出する。（ステップＳ２０６）。また、フレーム差分ヒストグラム検出部２１４が、ステップＳ２０４で復号化された映像データから、当該映像データが表す映像のフレーム差分ヒストグラムを検出する（ステップＳ２０８）。また、輝度ヒストグラム検出部２１６が、ステップＳ２０４で復号化された映像データから、当該映像データが表す映像の輝度ヒストグラムを検出する（ステップＳ２１０）。
【０１１１】
（判断工程）
そして、判断部２０６が、ステップＳ２０６で検出されたエッジヒストグラム、ステップＳ２０８で検出されたフレーム差分ヒストグラム、および、ステップＳ２１０で検出された輝度ヒストグラムに基づいて、上記映像に、文字が含まれているか否かを判断する（ステップＳ２１２）。ステップＳ２１２において、“文字が含まれていない”と判断された場合（ステップＳ２１２：Ｎｏ）、映像処理装置２００は、当該映像処理を終了する。
【０１１２】
（文字コントラスト制御工程）
一方、ステップＳ２１２において、“文字が含まれている”と判断された場合（ステップＳ２１２：Ｙｅｓ）、エンハンス制御部２２２が、上記映像に含まれている文字の視認性を高めるべく、上記映像のエンハンスを弱める（ステップＳ２１４）。そして、ＬＴＩ制御部２２４が、上記映像に含まれている文字の視認性を高めるべく、上記映像のＬＴＩを強める（ステップＳ２１６）。さらに、ＣＴＩ制御部２２６が、上記映像に含まれている文字の視認性を高めるべく、上記映像のＣＴＩを制御する（ステップＳ２１８）。そして、映像処理装置２００は、当該映像処理を終了する。
【０１１３】
例えば、ＣＴＩ制御部２２６は、“映像に文字が含まれている”と判断された場合、映像に含まれている文字の視認性を高めるべく、当該映像のＣＴＩを強めることにより、文字のエッジ部分における色コントラストを高める（すなわち、色差信号の変化の傾きを急峻にする）。
【０１１４】
ただし、静止画像のように精細さが求められる映像に対しては、文字近辺のジャギーが目立ってしまい、かえって文字表示の品位が低下することもある。
【０１１５】
したがって、上記のように精細さが求められる映像に対しては、ＣＴＩ制御部２２６は、ＣＴＩを強くしすぎないよう適度に調整する構成とすることが好ましい。
【０１１６】
上記映像処理は、ある１つのフレーム画像についての映像処理を説明するものであり、映像データが複数のフレーム画像を含んで構成されていることに応じて、映像処理装置２００は、上記映像処理を繰り返しおこなうこととなる。この際、映像処理装置２００は、上記映像処理を１フレーム画像単位で行ってもよく、複数フレーム画像単位で行ってもよい。また、映像処理装置２００は、表示される直前のフレーム画像に対して、上記映像処理を行ってもよく、フレームメモリ等に格納されているフレーム画像に対して、上記映像処理を行ってもよい。
【０１１７】
〔輝度ヒストグラムに基づく判断処理の具体例〕
図１５は、本発明の実施形態８に係る映像処理装置２００において、ある映像から検出された輝度ヒストグラムの一例を示す。図１５に示す輝度ヒストグラムは、輝度ヒストグラム検出部２１６がある映像の各画素について、その輝度を統計することによって得られたものであり、当該輝度の度数分布を示すものである。この輝度ヒストグラムにおいて、横軸は、階調（輝度）を示し、縦軸は、画素数（度数）を示す。
【０１１８】
映像処理装置２００の判断部２０６は、このように、ある映像から検出された輝度ヒストグラムに基づいて、その映像に文字が含まれているか否かを判断する。具体的には、判断部２０６は、ある映像から検出された輝度ヒストグラムにおいて、以下条件（１）および（２）の双方を満たす場合、その映像に“文字が含まれている”と判断する。
【０１１９】
（１）全画素数の６％にあたる画素数を第５閾値とし、画素数が第５閾値以上の階調（輝度）が２つ以上存在する。
【０１２０】
（２）全画素数の１％にあたる画素数を第６閾値とし、画素数が第５閾値以上の階調に隣接する階調の画素数が、第６閾値以下である。
【０１２１】
上記条件（１）および（２）を用いた理由は次のとおりである。映像における文字情報の表示領域においては、大概、背景部分がベタパターンとなっており、すなわち、その階調が１つの階調に固定されている。また、大概、文字部分の階調も１つの階調に固定されている。このため、文字情報を含んだ映像から検出された輝度ヒストグラムにおいては、少なくとも、上記背景部分に用いられている階調と、上記文字部分に用いられている階調との２つの階調について、画素数が突出する傾向にあることを、本発明の発明者は見出したからである。
【０１２２】
例えば、図１５に示す輝度ヒストグラムにおいては、低輝度側（図中左側）から３番目および１１番目の階調において、その画素数が全画素数の６％（第５閾値）以上となっている。よって、図１５に示す輝度ヒストグラムは、上記条件（１）を満たす。
【０１２３】
また、図１５に示す輝度ヒストグラムにおいては、低輝度側（図中左側）から２番目、４番目、１０番目、１２番目の階調が、上記“隣接する階調”に該当し、いずれの画素数も、全画素数の１％（第６閾値）以下となっている。よって、図１５に示す輝度ヒストグラムは、上記条件（２）を満たす。
【０１２４】
すなわち、図１５に示す輝度ヒストグラムは、上記条件（１）および（２）の双方を満たす。このため、判断部２０６は、この輝度ヒストグラムが検出された映像に“文字が含まれている”と判断する。
【０１２５】
〔フレーム差分ヒストグラムに基づく判断処理の具体例〕
図１６は、本発明の実施形態８に係る映像処理装置２００において、ある映像から検出された、フレーム差分ヒストグラムの一例を示す。図１６に示すフレーム差分ヒストグラムは、フレーム差分ヒストグラム検出部２１４により、ある映像の各画素について、フレーム間（当該フレーム画像と前のフレーム画像との間）の輝度の差分値である第１の差分値を統計することによって得られたものであり、当該第１の差分値の度数分布を示すものである。このフレーム差分ヒストグラムにおいて、横軸は、上記第１の差分値を示し、縦軸は、画素数（度数）を示す。
【０１２６】
映像処理装置２００の判断部２０６は、このように、ある映像から検出されたフレーム差分ヒストグラムに基づいて、その映像に文字が含まれているか否かを判断する。具体的には、判断部２０６は、ある映像から検出されたフレーム差分ヒストグラムにおいて、以下条件（３）を満たす場合、その映像に“文字が含まれている”と判断する。
【０１２７】
（３）上記第１の差分値の閾値である第３閾値を「２５」とし、上記第１の差分値が第３閾値以上の画素を「動きがある画素」とし、全画素数の２０％にあたる画素数を第４閾値とした場合において、「動きがある画素」の画素数が、第４閾値である。
【０１２８】
上記条件（３）を用いた理由は次のとおりである。映像における文字情報の表示領域に着目すると、大概、複数のフレーム間において動きが無い静止画となっており、このような文字情報の表示領域が増加するにつれ、「動きがある画素」の画素数が減少する傾向にあることを、本発明の発明者は見出したからである。
【０１２９】
例えば、図１６に示すフレーム差分ヒストグラムにおいては、全画素が、「差分無」、「差分小」、および「差分大」に分類されている。「差分無」には、上記第１の差分値が０〜１の画素が属する。上記第１の差分値が０〜１の画素は、動きが無い画素であると考えられる。「差分小」には、上記第１の差分値が１〜２４の画素が属する。上記第１の差分値が２〜２４の画素は、動きが無い画素であると考えられ、当該画素に生じた上記第１の差分値は、ノイズによるものと考えられる。「差分大」には、上記第１の差分値が２５〜１０２３の画素が属する。上記第１の差分値が２５〜１０２３の画素は、動きがある画素であると考えられる。
【０１３０】
そして、図１６に示すフレーム差分ヒストグラムにおいては、「差分大」（すなわち、「動きがある画素」）の画素数が第４閾値以下となっている。よって、図１６に示すフレーム差分ヒストグラムは、上記条件（３）を満たす。このため、判断部２０６は、このフレーム差分ヒストグラムが検出された映像に“文字が含まれている”と判断する。
【０１３１】
本実施形態では、全画素数の２０％にあたる画素数を第４閾値としており、映像におけるある程度の画素の動きを許容している。これは、文字情報が多く表示されている映像においても、録画リストにおいて選択された番組のサムネイル動画、文字情報のアニメーション表示、録画リスト上でのユーザ操作（例えば、カーソル移動等）等、動きのある画像が含まれる場合があるからである。
【０１３２】
〔エッジヒストグラムに基づく判断処理の具体例〕
図１７は、本発明の実施形態８に係る映像処理装置２００において、ある映像から検出された、エッジヒストグラムの一例を示す。図１７に示すエッジヒストグラムは、エッジヒストグラム検出部２１２により、ある映像の各画素について、水平方向に隣接する他の画素との輝度の差分値である第２の差分値を統計することによって得られたものであり、当該第２の差分値の度数分布を示すものである。このエッジヒストグラムにおいて、横軸は、上記第２の差分値を示し、縦軸は、画素数（度数）を示す。
【０１３３】
映像処理装置２００の判断部２０６は、このように、ある映像から検出されたエッジヒストグラムに基づいて、その映像に文字が含まれているか否かを判断する。具体的には、判断部２０６は、ある映像から検出されたエッジヒストグラムにおいて、以下条件（４）を満たす場合、その映像に“文字が含まれている”と判断する。
【０１３４】
（４）上記第２の差分値の閾値である第７閾値を「３１９」とし、上記第２の差分値が第７閾値以上の画素を「エッジ部の画素」とし、全画素数の１％にあたる画素数を第８閾値とした場合において、「エッジ部の画素」の画素数が、第８閾値以上である。
【０１３５】
上記条件（４）を用いた理由は次のとおりである。映像に含まれる文字情報は、大概、背景に対するコントラストが高まるように輝度設定がなされており、このため、映像において、このような文字情報が増加するにつれ、「エッジ部の画素」の画素数が増加する傾向にあることを、本発明の発明者は見出したからである。
【０１３６】
例えば、図１７に示すエッジヒストグラムにおいては、第２の差分値が「３１９」以上である「エッジ部の画素」の総画素数が第８閾値以上となっている。よって、図１７に示すエッジヒストグラムは、上記条件（４）を満たす。このため、判断部２０６は、このエッジヒストグラムが検出された映像に“文字が含まれている”と判断する。
【０１３７】
〔エンハンスを調整する処理の具体例〕
図１８は、本発明の実施形態８に係る映像処理装置２００による、エンハンスを調整する処理を概念的に示す。図１８は、本発明の実施形態８に係る映像処理装置２００において、ある映像から得られたエッジ付近の輝度を示すものである。図１８において、横軸は、画素の座標軸を示し、縦軸は輝度を示す。
【０１３８】
エンハンス制御部２２２は、“映像に文字が含まれている”と判断された場合、映像に含まれている文字の視認性を高めるべく、当該映像のエンハンスを弱めることにより、文字のエッジ部分におけるシュート成分（オーバーシュートおよびアンダーシュート）を除去する。
【０１３９】
例えば、エンハンス制御部２２２は、テレビジョン受像機１０の画質設定における、エンハンス設定の設定値を４つ減じることにより、上記シュート成分を除去する。具体例を挙げると、テレビジョン受像機１０においては、画質モードに「ダイナミック」が設定されている場合、エンハンス設定の設定値には、「＋４」が初期設定される。この場合、エンハンス制御部２２２は、エンハンス設定の設定値を、「＋４」から「０」に変更する。
【０１４０】
同様に、エンハンス制御部２２２は、エンハンス設定の設定値に「＋８」が設定されている場合、エンハンス設定の設定値を「＋８」から「＋４」に変更し、エンハンス設定の設定値に「＋１０」が設定されている場合、エンハンス設定の設定値を「＋１０」から「＋６」に変更する。
【０１４１】
これにより、図１８に示すように、処理対象の映像においては、文字のエッジ部分に生じていたシュート成分が除去されることとなる。一般的に、エンハンスを強めると、元信号の２次微分が元信号に加算され、これにより、エッジ部分にシュート成分が形成される。したがって、反対に、エンハンスを弱めることで、エッジ部分に形成されているシュート成分が除去されるのである。
【０１４２】
但し、エンハンス制御部２２２は、エッジ部分におけるボケの発生を防止するため、エンハンス設定の設定値を、エンハンスオフの状態である「０」未満には設定しない。例えば、エンハンス制御部２２２は、エンハンス設定の設定値に「＋２」が設定されている場合、エンハンス設定の設定値を「＋２」から「−２」に変更するのではなく、「＋０」に変更する。また、エンハンス設定の設定値に既に「０」未満の値が設定されている場合、既にシュート成分が除去されている状態となっているため、エンハンス制御部２２２は、当該設定値を変更しない。
【０１４３】
一般的な輪郭強調処理においては、エンハンスを強めることにより、エッジ部分にシュート成分を形成する方法を採用しているが、本実施形態の映像処理装置２００は、処理対象の映像に対し、エンハンスを弱めることにより、エッジ部分のシュート成分を除去し、文字の視認性を高めている。文字のエッジ部分においては、シュート成分がつくと、逆に文字が見難くなる場合があるからである。なお、エンハンス設定の設定値の変更処理において、エッジ部分の急峻な変化による見た目の違和感を視聴者に与えないように、複数フレームに亘って、徐々にエンハンス設定の設定値を変更するようにしてもよい。
【０１４４】
〔ＬＴＩの調整処理の具体例〕
図１９は、本発明の実施形態８に係る映像処理装置２００による、ＬＴＩを調整する処理を概念的に示す。図１９は、本発明の実施形態８に係る映像処理装置２００において、ある映像から得られたエッジ付近の輝度を示すものである。図１９において、横軸は、画素の座標軸を示し、縦軸は輝度を示す。
【０１４５】
ＬＴＩ制御部２２４は、“映像に文字が含まれている”と判断された場合、映像に含まれている文字の視認性を高めるべく、当該映像のＬＴＩを強めることにより、文字のエッジ部分における輝度変化率を高める。
【０１４６】
例えば、テレビジョン受像機１０においては、ＬＴＩ設定における最大設定値は「６３」となっている。また、テレビジョン受像機１０において、通常時には、ＬＴＩ設定の設定値は「０」となっている。そこで、ＬＴＩ制御部２２４は、ＬＴＩ設定の設定値を、「０」から「４７」に変更する。これにより、図１８に示すように、処理対象の映像においては、文字のエッジ部分の輝度変化率が高まり、当該エッジ部が強調されることとなる。なお、ＬＴＩ設定の設定値を最大設定値に変更しないのは、映像に含まれる斜線への影響を抑えるためである。一般的に、映像に含まれる斜線は、ＬＴＩが強められる程、ジャギーが生じ易くなるからである。
【０１４７】
このように、本実施形態の映像処理装置２００によれば、処理対象の映像に対し、シュート成分を除去しつつ、エッジ部分を強調することにより、文字の視認性を高めている。このように映像処理が施された映像は、例え細かい文字であっても、文字を明瞭に視認することが可能となっている。なお、ＬＴＩ設定の設定値の変更処理においても、エッジ部分の急峻な変化による見た目の違和感を視聴者に与えないように、複数フレームに亘って、徐々にＬＴＩ設定の設定値を変更するようにしてもよい。
【０１４８】
〔プログラム、記憶媒体〕
実施形態８で説明した映像処理装置２００の各機能は、集積回路（ＩＣチップ）上に形成された論理回路によってハードウェア的に実現してもよいし、ＣＰＵ（Central Processing Unit）を用いてソフトウェア的に実現してもよい。
【０１４９】
例えば、映像処理装置２００は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の各種記憶装置（記録媒体）を備えている。そして、上記ＣＰＵが、上記各種記憶装置に格納されているプログラムを読み出し、このプログラムを実行することによって、映像処理装置２００の各機能を実現することができる。
【０１５０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類等を用いることができる。
【０１５１】
なお、上記プログラムは、通信ネットワークを介して映像処理装置２００に供給されてもよい。この通信ネットワークは、少なくとも上記プログラムを映像処理装置２００に伝送可能であればよく、その種類はどのようなものであっても良い。例えば、通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０１５２】
また、上記プログラムを映像処理装置２００に供給するための伝送媒体としても、どのような種類のものを利用しても良い。例えば、伝送媒体として、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線によるものを利用しても良い。
【０１５３】
〔補足事項〕
（検出方法について）
上述した実施形態８において、映像に文字が含まれているか否かを検出する検出方法として、エッジヒストグラムに基づく検出方法、フレーム差分ヒストグラムに基づく検出方法、および輝度ヒストグラムに基づく検出方法を用いたが、これ以外の検出方法を用いてもよい。
【０１５４】
（処理対象とする領域について）
また、上述した実施形態８では、文字強調部２２０による処理（文字の視認性を高める処理）を、映像における全体の領域に対しておこなうこととしたが、文字強調部２２０による処理を、映像における一部の領域に対しておこなうようにしてもよい。例えば、映像において、文字情報が表示されている領域である文字表示領域を特定し、特定された文字表示領域のみ、または、特定された文字表示領域とその周辺の領域に対して、文字強調部２２０による処理をおこなうようにしてもよい。この場合、文字表示領域を特定する方法は、従来知られているどのような技術を用いてもよい。
【０１５５】
（ノイズ低減処理について）
また、上述した実施形態８では、映像に対し、エンハンス、ＬＴＩ、およびＣＴＩを調整することとしているが、さらに、映像に対し、高周波フィルタ処理（高周波成分除去処理）、エッジフィルタ処理（エッジノイズ除去処理）、コアリング処理（微小高周波成分除去処理）、シャープネス処理（輪郭強調処理）等の各種ノイズ低減処理を施すようにしてもよい。この場合も、各種ノイズ低減処理を、映像における全体の領域に対しておこなうようにしてもよく、映像における一部の領域に対しておこなうようにしてもよい。
【０１５６】
（判断条件について）
また、上述した実施形態８では、条件（１）〜（４）の全てを必須条件とし、条件（１）〜（４）を全て満たした場合に、最終的に“文字が含まれている”と判断する。すなわち、上述した実施形態８では、３つの判断処理（フレーム差分ヒストグラムに基づく判断処理、輝度ヒストグラムに基づく判断処理、およびおエッジヒストグラムに基づく判断処理）の全てにおいて“文字が含まれている”と判断された場合に、最終的に、“文字が含まれている”と判断する。但し、条件（１）〜（４）の全てを必須条件としなくてもよく、この場合、条件（１）〜（４）のうちの必須条件を全て満たした場合に、最終的に“文字を含んでいる”と判断するようにしてもよい。
【０１５７】
（実行対象とする判断処理について）
また、上述した実施形態８では、３つの判断処理（フレーム差分ヒストグラムに基づく判断処理、輝度ヒストグラムに基づく判断処理、およびおエッジヒストグラムに基づく判断処理）を全て行なうこととしたが、一部の判断処理を行なわないようにしてもよい。例えば、エッジヒストグラムに基づく判断処理を行なわないようにしてもよい。但し、フレーム差分ヒストグラムに基づく判断処理および輝度ヒストグラムに基づく判断処理だけでは、特に、アニメ映像のような映像において、文字列を含んでいるか否かを正確に判断することが困難な場合がある。このような場合に、エッジヒストグラムに基づく判断処理をさらにおこなうことで、文字列を含んでいるか否かを、より正確に判断することが可能となる。
【０１５８】
（第２の差分値について）
また、上述した実施形態８では、エッジヒストグラムに基づく判断処理において、水平方向に隣接する他の画素との輝度の差分値を、第２の差分値として用いたが、水平方向以外の方向（垂直方向、斜め方向）に隣接する他の画素との輝度の差分値を、第２の差分値として用いてもよい。
【０１５９】
（各閾値について）
また、上述した実施形態８では、各閾値（第３閾値〜第８閾値）として好適なものを示したが、これら各閾値は、映像処理装置２００が備えるメモリ等に予め格納されているものであり、適宜変更され得るものである。例えば、映像処理装置２００が実装される映像機器の種類や、映像処理装置２００に入力される映像の種類等に応じて、これら各閾値（第３閾値〜第８閾値）に適切な値を設定することが好ましい。
【０１６０】
＜まとめ＞
以上のように、本発明の態様１に係る映像処理装置は、映像を構成するフレームに対してシュート成分を付加してエッジ強調を行うエンハンス処理を行うエッジ強調処理手段を備えた映像処理装置であって、上記フレームを構成する各画素について隣接する画素との間の輝度差を求め、当該輝度差が所定の第１閾値以上である画素の割合である第１割合を求める算出手段を備え、上記エッジ強調処理手段は、上記第１割合が大きいフレームほど上記シュート成分を小さくしてエンハンス処理を行うことを特徴とする。
【０１６１】
隣接画素との間の輝度差が大きいエッジ部分に対してオーバーシュートやアンダーシュートであるシュート成分を付加したエッジ強調を行う場合、当該シュート成分によって白い縁取りが生じる可能性がある。当該白い縁取りがギラつきの原因となる。しかしながら、上記の構成によれば、第１閾値以上である画素の第１割合が大きいフレームほど上記シュート成分を小さくしてエンハンス処理を行う。これにより、隣接する画素との間の輝度差が大きいエッジを含むフレームにおいて、上記のような白い縁取りが生じることを抑制することができる。その結果、エッジ強調処理による弊害であるギラつきを抑制することができる。
【０１６２】
本発明の態様２に係る映像処理装置において、上記算出手段は、さらに、上記輝度差が上記第１閾値よりも小さい第２閾値以上であり上記第１閾値未満である画素の割合である第２割合と、上記輝度差が上記第２閾値よりも小さい画素の割合である第３割合とを求め、上記エッジ強調処理手段は、第２割合が第３割合よりも小さいフレームに対するシュート成分を、第２割合が第３割合よりも大きいフレームに対するシュート成分よりも小さくしてエンハンス処理を行うことが好ましい。
【０１６３】
単色ベタ領域の多い映像では、隣接画素との間の輝度差が相対的に小さい画素の数が多くなる。そのため、第２割合＜第３割合を満たす場合の映像は、単色ベタ領域が多い可能性が高くなる。このような映像では、エッジがもともとはっきりしている場合が多く、大きなシュート成分を付加する必要がない。上記の構成によれば、第２割合が第３割合よりも小さいフレームに対するシュート成分を、第２割合が第３割合よりも大きいフレームに対するシュート成分よりも小さくしてエンハンス処理が行われる。そのため、単色ベタ領域が多い映像については不必要に強いエンハンス処理を行わなくてすみ、映像の画質を高めることができる。
【０１６４】
さらに、本発明の態様３に係る映像処理装置は、対象フレームと当該対象フレームの前のフレームとが同一シーンを示している度合いである同一シーン量を検出する同一シーン量検出手段と、対象フレームと当該対象フレームの前のフレームとの間の映像の動き量を検出する動き量検出手段とを備え、上記エッジ強調処理手段は、上記同一シーン量検出手段により検出された同一シーン量が所定量よりも同一シーンである度合いが高いことを示しており、かつ、上記動き量検出手段により検出された動き量が所定量よりも大きいことを示している場合に、上記第１割合が大きいフレームほど上記シュート成分を小さくしてエンハンス処理を行うことが好ましい。
【０１６５】
隣接画素との間の輝度差が大きいエッジに対してシュート成分の大きいエッジ強調を行うことで生じるギラつきは、隣接画素との間の輝度差が大きいエッジを多く有する同一シーンが動いて表示される際に目立つことが多い。上記の構成によれば、同一シーン量が所定量よりも同一シーンである度合いが高いことを示しており、かつ、動き量が所定量よりも大きいことを示している場合に、上記第１割合が大きいフレームほど上記シュート成分を小さくしてエンハンス処理を行う。これにより、ギラつきが目立つ可能性のあるフレームに限定して、シュート成分を制御してエンハンス処理が行われる。すなわち、シュート成分を変化させる処理を必要最小限に抑えることができる。
【０１６６】
なお、上記同一シーン量検出手段は、例えば、フレームごとに輝度別の画素数を示す輝度ヒストグラムを求め、対象フレームの輝度ヒストグラムと当該対象フレームの前のフレームの輝度ヒストグラムとの差分のヒストグラムの総度数を上記同一シーン量として検出すればよい。
【０１６７】
また、上記動き量検出手段は、例えば、画素ごとに、対象フレームと当該対象フレームの前のフレームとの輝度差を求め、所定の動き閾値以上の輝度差を有する画素の割合を上記動き量として検出すればよい。
【０１６８】
さらに、本発明の態様４に係る映像処理装置において、上記エッジ強調処理手段は、上記してエンハンス処理に加えて、シュート成分を付加することなくエッジの傾きを急峻に変化させるＬＴＩ処理を行う機能を有しており、上記第１割合に応じてシュート成分を小さくしてエンハンス処理を行ったフレームに対して上記ＬＴＩ処理を行うことが好ましい。
【０１６９】
上記の構成によれば、シュート成分を小さくしてエンハンス処理を行ったとしても、ＬＴＩ処理が実行されることで、映像がぼけることを防止することができる。
【０１７０】
さらに、本発明の態様５に係る映像処理装置において、上記エッジ強調処理手段は、上記第１割合が大きいフレームほど上記傾きを急峻にさせる度合いを大きくしてＬＴＩ処理を行うことが好ましい。
【０１７１】
上記の構成によれば、エンハンス処理におけるシュート成分が小さいほどＬＴＩ処理における傾きを急峻にさせる度合いが大きくなるため、映像がぼけることをより一層防止することができる。
【０１７２】
さらに、本発明の態様６に係る映像処理装置において、上記エッジ強調処理手段は、上記第１割合が取り得る範囲を複数に分割した分割範囲の各々とエンハンス処理を行うためのエッジ強調フィルタとが対応付けられた対応情報を参照して、上記算出手段により算出された第１割合が属する分割範囲に対応するエッジ強調フィルタを用いてエンハンス処理を行い、上記対応情報では、第１割合が相対的に大きい分割範囲に対応するエッジ強調フィルタを用いてエンハンス処理を行ったときのシュート成分の大きさが、第１割合が相対的に小さい分割範囲に対応するエッジ強調フィルタを用いてエンハンス処理を行ったときのシュート成分の大きさよりも小さくなるように、各分割範囲に対応するエッジ強調フィルタが設定されていることが好ましい。
【０１７３】
上記の構成によれば、複数の分割範囲の各々に対応するエッジ強調フィルタを予め備えていることにより、容易にシュート成分の大きさを変更させてエンハンス処理を実行することができる。
【０１７４】
さらに、本発明の態様７に係る映像処理装置において、上記エッジ強調処理手段が上記第１割合に応じてシュート成分を変更する機能をオンまたはオフに切り替える指示を受け付ける指示受付手段を備え、上記エッジ強調処理手段は、上記指示受付手段がオンに切り替えた場合に、上記第１割合が大きいフレームほど上記シュート成分を小さくしてエンハンス処理を行うことが好ましい。
【０１７５】
上記の構成によれば、ユーザは、シュート成分を変更する機能をオンまたはオフに容易に切り替えることができる。
【０１７６】
さらに、本発明の態様８に係る映像処理装置において、上記映像の画質を示す画質モードを決定する画質モード決定手段を備え、上記算出手段は、上記画質モード決定手段により決定された画質モードに応じて上記第１閾値の値を異ならせることが好ましい。
【０１７７】
上記の構成によれば、画質モードに応じて第１閾値の値が異なるため、画質モードに応じて第１割合の値が異なることとなる。そのため、画質モードに応じてエンハンス処理の強度を変えることができる。
【０１７８】
また、本発明の態様９に係る映像処理装置は、映像データが表す映像の特徴量を検出する検出手段と、上記特徴量に基づいて、上記映像に文字が含まれているか否かを判断する判断手段と、上記映像に文字が含まれていると判断された場合、上記映像における文字の視認性を高める処理を上記映像に施す文字強調手段とを備え、上記検出手段は、上記映像における複数の画素の各々について、フレーム間の輝度の差分値である第１の差分値を検出し、上記判断手段は、上記第１の差分値の度数分布に基づいて、上記映像に文字が含まれているか否かを判断することを特徴とする。
【０１７９】
上記映像処理装置によれば、映像に文字が含まれていると判断した場合に、文字の視認性を高める処理（本書において、「文字強調処理」と称している。）を行なうため、“映像に文字が含まれているか否か”を判断すればよく、映像における文字を特定する必要はないため、一連の映像処理に係る時間を短時間化することができる。
【０１８０】
特に、上記映像処理装置によれば、フレーム間における画素の輝度の差分値である、第１の差分値の度数分布に基づいて、上記文字強調処理をおこなうか否かを判断しており、上記度数分布を検出する処理、および、上記文字強調処理をおこなうか否かの判断処理は、比較的簡単なロジックにより実現することができるため、一連の映像処理に係る時間を短時間化することができる。
【０１８１】
本発明の態様１０に係る映像処理装置において、上記判断手段は、上記第１の差分値の度数分布において、上記第１の差分値が第３閾値以上である画素の度数が、第４閾値以下の場合、上記映像に文字が含まれていると判断することが好ましい。
【０１８２】
この構成によれば、映像に文字が含まれているか否かを、容易且つ確実に特定することができる。
【０１８３】
さらに、本発明の態様１１に係る映像処理装置において、上記検出手段は、上記映像における複数の画素の各々についての輝度をさらに検出し、上記判断手段は、上記輝度の度数分布にさらに基づいて、上記映像に文字が含まれているか否かを判断することが好ましい。
【０１８４】
この構成によれば、映像に文字が含まれているか否かを、容易且つ確実に特定することができる。
【０１８５】
さらに、本発明の態様１２に係る映像処理装置において、上記判断手段は、上記輝度の度数分布において、度数が第５閾値以上の輝度が２つ以上存在し、且つ、度数が第５閾値以上の輝度に隣接する輝度の度数が、上記第５閾値よりも低い第６閾値以下の場合、上記映像に文字が含まれていると判断することが好ましい。
【０１８６】
この構成によれば、映像に文字が含まれているか否かを、容易且つ確実に特定することができる。
【０１８７】
さらに、本発明の態様１３に係る映像処理装置において、上記検出手段は、上記映像における複数の画素の各々について、隣接する他の画素との輝度の差分値である第２の差分値をさらに検出し、上記判断手段は、上記第２の差分値の度数分布にさらに基づいて、上記映像に文字が含まれているか否かを判断することが好ましい。
【０１８８】
この構成によれば、映像に文字が含まれているか否かを、容易且つ確実に特定することができる。
【０１８９】
さらに、本発明の態様１４に係る映像処理装置において、上記判断手段は、上記第２の差分値の度数分布において、上記第２の差分値が第７閾値以上である画素の度数が、第８閾値以下の場合、上記映像に文字が含まれていると判断することが好ましい。
【０１９０】
この構成によれば、映像に文字が含まれているか否かを、容易且つ確実に特定することができる。
【０１９１】
さらに、本発明の態様１５に係る映像処理装置において、上記文字強調手段は、上記映像における文字の視認性を高めるべく、上記映像のエンハンスを弱めることが好ましい。
【０１９２】
この構成によれば、文字のエッジ部分におけるシュート成分を除去することができ、文字の視認性を高めることができる。
【０１９３】
さらに、本発明の態様１６に係る映像処理装置において、上記文字強調手段は、上記映像における文字の視認性を高めるべく、上記映像のＬＴＩを強めることが好ましい。
【０１９４】
この構成によれば、文字のエッジ部分を強調することでき、文字の視認性を高めることができる。
【０１９５】
さらに、本発明の態様１７に係る映像処理装置において、上記文字強調手段は、上記映像における文字の視認性を高めるべく、上記映像のＣＴＩを制御することが好ましい。
【０１９６】
この構成によれば、文字のエッジ部分を強調することでき、文字の視認性を高めることができる。
【０１９７】
また、上記映像処理装置を備えているテレビジョン受像機も本発明の範疇に含まれる。
【０１９８】
また、本発明の態様１８に係る映像処理方法は、映像を構成するフレームに対してシュート成分を付加してエッジ強調を行うエンハンス処理を行う映像処理方法であって、上記フレームを構成する各画素について隣接する画素との間の輝度差を求め、当該輝度差が所定の第１閾値以上である画素の割合である第１割合を求めるステップと、上記第１割合が大きいフレームほど上記シュート成分を小さくしてエンハンス処理を行うステップとを含むことを特徴とする。
【０１９９】
また、本発明の態様１９に係る映像処理方法は、映像データが表す映像の特徴量を検出する検出工程と、上記特徴量に基づいて、上記映像に文字が含まれているか否かを判断する判断工程と、上記映像に文字が含まれていると判断された場合、上記映像における文字の視認性を高める処理を上記映像に施す文字強調工程とを含み、上記検出工程では、上記映像における複数の画素の各々について、フレーム間の輝度の差分値である第１の差分値を検出し、上記判断工程では、上記第１の差分値の度数分布に基づいて、上記映像に文字が含まれているか否かを判断することを特徴とする。
【０２００】
上記のように構成された映像処理方法によれば、上述の映像処理装置と同様の効果を奏する。
【０２０１】
また、上記映像処理装置が備えている各手段としてコンピュータを動作させるためのプログラム、及び、そのようなプログラムを記録しているコンピュータ読取り可能な記録媒体も本発明の範疇に含まれる。
【０２０２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０３】
本発明は、映像の画質を改善するための映像処理装置に好適に適用することができる。
【符号の説明】
【０２０４】
１  テレビジョン受像機
１００，１０１，１０２  映像処理装置
１１０  映像取得部
１２０  復号処理部
１３０，１３１  エッジヒストグラム作成部（算出手段）
１４０，１４１，１４２  エッジ強調処理部（エッジ強調処理手段）
１５１  同一シーン量検出部（同一シーン量検出手段）
１６１  動き量検出部（動き量検出手段）
１７２  指示受付部（指示受付手段）
１７３  画質モード決定部（画質モード決定手段）
２００  映像処理装置
２０２  取得部
２０４  復号化部
２０６  判断部
２１０  検出部
２１２  エッジヒストグラム検出部
２１４  フレーム差分ヒストグラム検出部
２１６  輝度ヒストグラム検出部
２２０  文字強調部（エッジ強調処理手段）
２２２  エンハンス制御部
２２４  ＬＴＩ制御部
２２６  ＣＴＩ制御部
【図１】
0005514344.tif 000002
【図２】
0005514344.tif 000003
【図３】
0005514344.tif 000004
【図４】
0005514344.tif 000005
【図５】
0005514344.tif 000006
【図６】
0005514344.tif 000007
【図７】
0005514344.tif 000008
【図８】
0005514344.tif 000009
【図９】
0005514344.tif 000010
【図１０】
0005514344.tif 000011
【図１１】
0005514344.tif 000012
【図１２】
0005514344.tif 000013
【図１３】
0005514344.tif 000014
【図１４】
0005514344.tif 000015
【図１５】
0005514344.tif 000016
【図１６】
0005514344.tif 000017
【図１７】
0005514344.tif 000018
【図１８】
0005514344.tif 000019
【図１９】
0005514344.tif 000020